(57)【要約】 【課題】グランドや公園広場等の改修に際し、側溝の嵩上げを簡便な構造で実現でき、古くなった現場の土等をグランド等の外に搬出せずして現状のグランド上に新しい土等を敷設でき、そのグランド等と側溝の上面レベルを同一に保持する。【解決手段】グランドｇ等と側溝１を既設の現状のままで、蓋体１２を一時取り外す。水平なパイプ２０の上面２ａに引掛け孔３が形成されて成る一対の嵩上げパイプ材２、２を、側溝１の側壁１０の上部１１に設置する。上部にフック部６０を形成した線材６Ａより成る固定部材５を、側壁１０の外側面に沿ってグランドｇ等の中に支持力を得て垂直方向に埋め込み、フック部６０を嵩上げパイプ材２の引掛け孔３に係止して、嵩上げパイプ材２と側溝１の側壁１０を一体化固定する。嵩上げパイプ材２の上に蓋体１２を戻して被覆する。【選択図】       図４
2006083665.tif 000002
【特許請求の範囲】
【請求項１】
ａ）グランドや公園の広場等の脇に設置された側溝と前記グランド等を既設の現状のままで、前記側溝に被覆された蓋体を一時取り外す段階と、
ｂ）所定の高さと長さを有する水平なパイプの上面に引掛け孔が形成されて成る一対の嵩上げパイプ材を、前記側溝の両側の側壁の上部にそれぞれ必要数設置する段階と、
ｃ）所定長さを有し上部にフック部を形成した線材より成る固定部材を、前記側溝の側壁の外側面に沿ってグランド等の中に支持力を得て垂直方向に埋め込み、当該フック部を前記嵩上げパイプ材の引掛け孔に係止して、嵩上げパイプ材と側溝の側壁を懸架して一体化固定する段階と、
ｄ）前記嵩上げパイプ材の上に前記取り外した蓋体を戻して被覆し、側溝自体の嵩上げを完了する段階と、
より成ることをそれぞれ特徴とする側溝の嵩上げ方法。
【請求項２】
ａ）グランドや公園の広場等の脇に設置された側溝と蓋体と前記グランド等を既設の現状のままで、所定の高さと長さを有する水平なパイプの上面に引掛け孔が形成されて成る嵩上げパイプ材を、前記側溝の側壁と平行配置で且つ側壁に隣接するグランド等の上における当該側壁寄りの上端部位置に必要数設置する段階と、
ｂ）所定長さを有し上部にフック部を形成した線材より成る固定部材を、前記側溝の側壁の外側面に沿ってグランド等の中に支持力を得て垂直方向に埋め込み、当該フック部を前記嵩上げパイプ材の引掛け孔に係止して、側溝の外側で嵩上げされた嵩上げパイプ材を前記グランド等より高いレベル位置で固定する段階と、
より成ることをそれぞれ特徴とする側溝の嵩上げ方法。
【請求項３】
ａ）グランドや公園の広場等の脇に設置された側溝と前記グランド等を既設の現状のままで、前記側溝に被覆された蓋体を一時取り外す段階と、
ｂ）所定の高さと長さを有し、外側面にガイドパイプやガイド金具等より成るガイド部材が垂直方向に設置された水平なパイプより成る一対の嵩上げパイプ材を、前記ガイドパイプが前記側溝の両側の側壁の外側面に対し垂直方向に位置する配置で、前記側壁の上部にそれぞれ必要数設置する段階と、
ｃ）所定の長さを有する釘等の線材や下端部が尖った平板より成る固定部材を、前記嵩上げパイプ材のガイド部材に上方から挿通し、側溝の側壁の外側面に沿ってグランド等の中に支持力を得て垂直方向に埋め込み、嵩上げパイプ材と側溝の側壁を懸架して一体化固定する段階と、
ｄ）前記嵩上げパイプ材の上に前記取り外した蓋体を戻して被覆し、側溝自体の嵩上げを完了する段階と、
より成ることをそれぞれ特徴とする側溝の嵩上げ方法。
【請求項４】
ａ）グランドや公園の広場等の脇に設置された側溝と蓋体と前記グランド等を既設の現状のままで、所定の高さと長さを有し外側面にガイドパイプやガイド金具等より成るガイド部材が垂直方向に設置された水平なパイプより成る嵩上げパイプ材を、前記側溝の側壁と平行配置で且つ側壁に隣接するグランド等の上における当該側壁寄りの上端部位置に、前記ガイド部材が側溝寄りとなる配置で必要数設置する段階と、
ｂ）所定の長さを有する釘等の線材や下端部が尖った平板より成る固定部材を、前記嵩上げパイプ材のガイド部材に上方から挿通し、側溝の側壁の外側面に沿ってグランド等の中に支持力を得て垂直方向に埋め込み、側溝の外側で嵩上げされた嵩上げパイプ材を前記グランド等より高いレベル位置で固定する段階と、
より成ることをそれぞれ特徴とする側溝の嵩上げ方法。
【請求項５】
ａ）グランドや公園の広場等の脇に設置された側溝と前記グランド等を既設の現状のままで、前記側溝に被覆された蓋体を一時取り外す段階と、
ｂ）所定の幅寸と高さと長さを有する水平なパイプより成る一対の嵩上げパイプ材の内外の両側面に、上方接合片と下方突出片を有する側板より成る固定部材の前記上方接合片をそれぞれ接合し固着しておく段階と、
ｃ）前記嵩上げパイプ材に付設された一対の側板の下方突出片内を、前記側溝の両側の側壁の上部にそれぞれ嵌合し、当該側板を嵩上げパイプ材と側壁に懸架して一体化固定する段階と、
ｄ）前記嵩上げパイプ材の上に前記取り外した蓋体を戻して被覆し、側溝自体の嵩上げを完了する段階と、
より成ることをそれぞれ特徴とする側溝の嵩上げ方法。
【請求項６】
側板で形成された固定部材の下方突出片にボルト孔を形成し、当該下方突出片に懸架された側溝の側壁に対し、前記ボルト孔に外側又は／及び内側からボルトで締め付けることにより固定部材と側溝の側壁を接合して一体化固定することを特徴とする、請求項５に記載した側溝の嵩上げ方法。
【請求項７】
側溝の側壁の上部に設置して前記側壁を嵩上げする所定高さの嵩上げパイプ材と、当該嵩上げパイプ材を前記側壁に固定する固定部材とから成る側溝の嵩上げ具であって、
前記嵩上げパイプ材は前記側溝の側壁の幅寸と略同じ幅寸と高さで、水平方向に所定の長さを有する水平な角パイプで形成され、その上面に引掛け孔が形成されていると共に、前記固定部材は前記側溝の側壁の外側面に沿って垂直方向に配置した際に、前記嵩上げパイプ材と側壁の両者に十分跨った懸架状態で一体化できる長さを有する線材であり、その上部が前記嵩上げパイプ材の引掛け孔に係止されるフック部に形成されていることを特徴とする側溝の嵩上げ具。
【請求項８】
側溝の側壁の上部に設置して前記側壁を嵩上げする所定高さの嵩上げパイプ材と、当該嵩上げパイプ材を前記側壁に固定する固定部材とから成る側溝の嵩上げ具であって、
前記嵩上げパイプ材は前記側溝の側壁の幅寸と略同じ幅寸と高さで、水平方向に所定の長さを有する水平な角パイプで形成され、その外側面に丸パイプで形成されたガイドパイプより成るガイド部材が垂直方向に設置されていると共に、前記固定部材は前記側溝の側壁の外側面に沿って垂直方向に配置した際に、前記嵩上げパイプ材と側壁の両者に十分跨った懸架状態で一体化できる長さを有する釘等の線材であり、その線材が前記嵩上げパイプ材のガイド部材に上方から挿通されて成ることを特徴とする側溝の嵩上げ具。
【請求項９】
嵩上げパイプ材のガイド部材は、上方から固定部材を挿し込み可能な挿し込み孔を有する把手形状のガイド金具であると共に、前記固定部材は下端部がＶ字状に尖った尖鋭部に形成された平板で構成されていることを特徴とする、請求項８に記載した側溝の嵩上げ具。
【請求項１０】
側溝の側壁の上部に設置して前記側壁を嵩上げする所定高さの嵩上げパイプ材と、当該嵩上げパイプ材を前記側壁に固定する固定部材とから成る側溝の嵩上げ具であって、
前記嵩上げパイプ材は前記側溝の側壁の幅寸と略同じ幅寸と高さで、水平方向に所定の長さを有する水平な角パイプで形成されていると共に、前記固定部材は、上方が接合片で下方が突出片の平板より成る垂直な側板で形成され、当該側板はその上方接合片が前記嵩上げパイプ材の側面に接合され、下方突出片が下方に突き出た状態で複数設置されて成り、前記嵩上げパイプ材が側壁の上部に設置された際、前記側板の下方突出片が側壁の側面に沿って垂直方向に配置され、当該側板が嵩上げパイプ材と側壁の両者に懸架されて一体化自在に構成されていることを特徴とする側溝の嵩上げ具。
【発明の詳細な説明】
【技術分野】
【０００１】
本発明は、グランドや公園の広場等（以下、単に「グランド」ということがある）の脇に排水用として設置された側溝の嵩上げ方法と嵩上げ具に係り、さらに言えば、古くなった前記グランド等をその古いままの状態で、当該グランドの上に新しい土や砂、アスファルト等を敷設した際のグランドの上面レベルに、側溝の上面レベルをそろえるためにＵ字溝等の側溝を嵩上げする方法と同方法に適した嵩上げ具の技術分野に関する。
【背景技術】
【０００２】
従来、学校や公園等のクレー系のグランドは、１０年ぐらい毎に、表層の古い土を新しい土に入れ替えることにより改修を行っている。グランドの改修に当たっては、側溝との段差によって競技者がその側溝に足をとられて危なくないように、グランドと側溝の上面レベルを同じに保つ必要がある。
【０００３】
図１９にグランド改修の一般的な従来例を示した。同図Ａに示したグランドｇの外周縁に排水用の側溝１０が設けられており、古くなったグランドｇの表層の土ｇ−２を新しい土に入れ換える。そのために、同図Ｂに示した如く、前記表層の古い土ｇ−２をグランドｇの外に搬送して取り除く。そして、直下の土ｇ−１の上に、前記場外に搬出した古い土ｇ−２の分量に略相当する分量の新しい土ｇ−３を敷設して均す（同図Ｃ）。かくして、新しい土ｇ−３の上面レベルｋと、既設の側溝１０の蓋体１２の上面レベルｍとの同一を保持している。
【０００４】
また実開平６−３５３８４号公開公報には、底部と、この底部から延設された一対の側壁と、各側壁の上端にそれぞれ設けられた蓋載置部とを備え、各蓋載置部に蓋載置面が設けられ、一対の側壁の間に凹部が設けられているコンクリート製の側溝部材；前記蓋載置面に載置可能なゴム製の蓋；及び底面に突起を有する一対のゴム製の受け板を備えた側溝構造体であって、前記蓋が一対の前記蓋載置面に載置され、前記凹部が前記蓋によって覆われ、前記受け板が一対の前記蓋載置面にそれぞれ載置され、一対の前記受け板の間に前記蓋が挟まれ、各受け板の前記突起が前記蓋載置部内に生コンクリートの一体成形によって埋設されており、これによって各受け板が蓋載置部に固定されている側溝構造体が記載されている。
【特許文献１】実開平６−３５３８４号公開実用新案公報
【発明の開示】
【発明が解決しようとする課題】
【０００５】
前記図１９の従来一般のやり方では、古い土ｇ−２をグランドｇの外へ搬送して取り除く必要があり、その作業が大変面倒である。そのグランド外に搬出する古い土ｇ−２の量は、その高さが側溝１０の蓋体１２の高さ分（約１００ｍｍ）にも及び、施工コストの上昇にもなっている。その上、工期も長くかかり、更に古い土の廃棄処分は環境問題にも影響を及ぼしている。
【０００６】
また、前記実開平６−３５３８４号公開公報に記載された側溝構造体は、コンクリート製の側溝部材の一対の蓋載置面にそれぞれゴム製の受け板が載置され、これら一対の受け板の間に、側溝部材の凹部（溝）を覆う蓋が挟まれており、蓋の両側にそれぞれ受け板が固定されている。そして、一方の受け板の側縁が擁壁側に当たり、他方の受け板の側縁が盛り土側に当たるので、グランド側の盛り土が経時的に若干崩れてきても、蓋までは土砂に埋まらない構成となっている。しかし、この側溝構造体はそれ自体嵩上げするものではなく、隣接するグランドの上に上記の如く新たな土を加えれば、当然のことながら側溝構造体の蓋は相対的に下方に位置し、その蓋の上まで新たな土砂が容易に覆いかぶさることとなる。
【０００７】
したがって、本発明の目的は、クレー系グランドや全天候型グランド又は公園の広場等の改修に際し、予め側溝の嵩上げを簡便な構造で実現でき、現状の古いままのグランド等の上に新しい土や砂、アスファルト等をそのまま敷設でき、その新たなグランドと側溝の上面レベルを同一に保持できて、グランド改修工事の容易化とそれに伴う施工コストダウン、工期の短縮化等を図った側溝の嵩上げ方法と嵩上げ具を提供することにある。
【課題を解決するための手段】
【０００８】
請求項１記載の発明の側溝の嵩上げ方法は、
ａ）グランドｇや公園の広場等の脇に設置された側溝１と前記グランドｇ等を既設の現状のままで、前記側溝１に被覆された蓋体１２を一時取り外す段階と、
ｂ）所定の高さと長さを有する水平なパイプ２０の上面２ａに引掛け孔３が形成されて成る一対の嵩上げパイプ材２、２を、前記側溝１の両側の側壁１０、１０の上部１１、１１にそれぞれ必要数設置する段階と、
ｃ）所定長さを有し上部にフック部６０を形成した線材６Ａより成る固定部材５を、前記側溝１の側壁１０の外側面に沿ってグランドｇ等の中に支持力を得て垂直方向に埋め込み、当該フック部６０を前記嵩上げパイプ材２の引掛け孔３に係止して、嵩上げパイプ材２と側溝１の側壁１０を懸架して一体化固定する段階と、
ｄ）前記嵩上げパイプ材２の上に前記取り外した蓋体１２を戻して被覆し、側溝１自体の嵩上げを完了する段階と、より成ることをそれぞれ特徴とする。
【０００９】
請求項２記載の発明の側溝の嵩上げ方法は、
ａ）グランドｇや公園の広場等の脇に設置された側溝１と蓋体１２と前記グランドｇ等を既設の現状のままで、所定の高さと長さを有する水平なパイプ２０の上面２ａに引掛け孔３が形成されて成る嵩上げパイプ材２を、前記側溝１の側壁１０と平行配置で且つ側壁１０に隣接するグランドｇ等の上における当該側壁１０寄りの上端部位置に必要数設置する段階と、
ｂ）所定長さを有し上部にフック部６０を形成した線材６Ａより成る固定部材５を、前記側溝１の側壁１０の外側面に沿ってグランドｇ等の中に支持力を得て垂直方向に埋め込み、当該フック部６０を前記嵩上げパイプ材２の引掛け孔３に係止して、側溝１の外側で嵩上げされた嵩上げパイプ材２を前記グランドｇ等より高いレベル位置で固定する段階と、より成ることをそれぞれ特徴とする。
【００１０】
請求項３記載の発明の側溝の嵩上げ方法は、
ａ）グランドｇや公園の広場等の脇に設置された側溝１と前記グランドｇ等を既設の現状のままで、前記側溝１に被覆された蓋体１２を一時取り外す段階と、
ｂ）所定の高さと長さを有し、外側面にガイドパイプ２ｃやガイド金具２ｄ等より成るガイド部材が垂直方向に設置された水平なパイプ２０より成る一対の嵩上げパイプ材２、２を、前記ガイド部材（２ｃ、２ｄ）が前記側溝１の両側の側壁１０、１０の外側面に対し垂直方向に位置する配置で、前記側壁１０、１０の上部１１、１１にそれぞれ必要数設置する段階と、
ｃ）所定の長さを有する釘６１等の線材６Ｂや下端部が尖った平板６Ｃより成る固定部材５を、前記ガイド部材（２ｃ、２ｄ）に上方から挿通し、側溝１の側壁１０の外側面に沿ってグランドｇ中に支持力を得て垂直方向に埋め込み、嵩上げパイプ材２と側溝１の側壁１１を懸架して一体化固定する段階と、
ｄ）前記嵩上げパイプ材２の上に前記取り外した蓋体１２を戻して被覆し、側溝１自体の嵩上げを完了する段階と、より成ることをそれぞれ特徴とする。
【００１１】
請求項４記載の発明の側溝の嵩上げ方法は、
ａ）グランドｇや公園の広場等の脇に設置された側溝１と蓋体１２と前記グランドｇ等を既設の現状のままで、所定の高さと長さを有し外側面にガイドパイプ２ｃやガイド金具２ｄ等より成るガイド部材が垂直方向に設置された水平なパイプ２０より成る嵩上げパイプ材２を、前記側溝１の側壁１０と平行配置で且つ側壁１０に隣接するグランドｇ上における当該側壁１０寄りの上端部位置に、前記ガイド部材が側溝１０寄りとなる配置で必要数設置する段階と、
ｂ）所定の長さを有する釘６１等の線材６Ｂや下端部が尖った平板６Ｃより成る固定部材５を、前記嵩上げパイプ材２のガイド部材に上方から挿通し、側溝１の側壁１０の外側面に沿ってグランドｇ等の中に支持力を得て垂直方向に埋め込み、側溝１の外側で嵩上げされた嵩上げパイプ材２を前記グランドｇより高いレベル位置で固定する段階と、より成ることをそれぞれ特徴とする。
【００１２】
請求項５記載の発明の側溝の嵩上げ方法は、
ａ）グランドｇや公園の広場等の脇に設置された側溝１と前記グランドｇ等を既設の現状のままで、前記側溝１に被覆された蓋体１２を一時取り外す段階と、
ｂ）所定の幅寸と高さと長さを有する水平なパイプ２０より成る一対の嵩上げパイプ材２、２の内外の両側面に、上方接合片７０と下方突出片７１を有する側板７、７より成る固定部材５の前記上方接合片７０をそれぞれ接合し固着しておく段階と、
ｃ）前記嵩上げパイプ材２に付設された一対の側板７、７の下方突出片７１内を、前記側溝１の両側の側壁１０、１０の上部１１、１１にそれぞれ嵌合し、当該側板７を嵩上げパイプ材２と側壁１０に懸架して一体化固定する段階と、
ｄ）前記嵩上げパイプ材２の上に前記取り外した蓋体１２を戻して被覆し、側溝１自体の嵩上げを完了する段階と、より成ることをそれぞれ特徴とする。
【００１３】
請求項６記載の発明の側溝の嵩上げ方法は、前記側板７で形成された固定部材５の下方突出片７１にボルト孔７２を形成し、当該下方突出片７１に懸架された側溝１の側壁１０に対し、前記ボルト孔７２に外側又は／及び内側からボルト８で締め付けることにより固定部材５と側溝１の側壁１０を接合して一体化固定することを特徴とする。
【００１４】
請求項７記載の発明の側溝の嵩上げ具は、側溝１の側壁１０の上部１１に設置して前記側壁１０を嵩上げする所定高さの嵩上げパイプ材２と、当該嵩上げパイプ材２を前記側壁１０に固定する固定部材５とから成る側溝１の嵩上げ具であって、
前記嵩上げパイプ材２は前記側溝１の側壁１０の幅寸と略同じ幅寸と高さで、水平方向に所定の長さを有する水平な角パイプ２０で形成され、その上面に引掛け孔３が形成されていると共に、前記固定部材５は前記側溝１の側壁１０の外側面に沿って垂直方向に配置した際に、前記嵩上げパイプ材２と側壁１０の両者に十分跨った懸架状態で一体化できる長さを有する線材６Ａであり、その上部が前記嵩上げパイプ材２の引掛け孔３に係止されるフック部６０に形成されていることを特徴とする。
【００１５】
請求項８記載の発明の側溝の嵩上げ具は、側溝１の側壁１０の上部１１に設置して前記側壁１０を嵩上げする所定高さの嵩上げパイプ材２と、当該嵩上げパイプ材２を前記側壁１０に固定する固定部材５とから成る側溝１の嵩上げ具であって、
前記嵩上げパイプ材２は前記側溝１の側壁１０の幅寸と略同じ幅寸と高さで、水平方向に所定の長さを有する水平な角パイプ２０で形成され、その外側面に丸パイプで形成されたガイドパイプ２ｃより成るガイド部材が垂直方向に設置されていると共に、前記固定部材５は前記側溝１の側壁１０の外側面に沿って垂直方向に配置した際に、前記嵩上げパイプ材２と側壁１０の両者に十分跨った懸架状態で一体化できる長さを有する釘６１等の線材６Ｂであり、その線材６Ｂが前記嵩上げパイプ材２のガイド部材に上方から挿通されて成ることを特徴とする。
【００１６】
但し、前記線材の上部が、前記嵩上げパイプ材２の側面２ｃに溶接等により固着して成ることも特徴とする。
【００１７】
請求項９記載の発明の側溝の嵩上げ具は、前記嵩上げパイプ材２のガイド部材が、上方から固定部材５を挿し込み可能な挿し込み孔２１を有する把手形状のガイド金具２ｄであると共に、前記固定部材５は下端部がＶ字状に尖った尖鋭部６２に形成された平板６Ｃで構成されていることを特徴とする。
【００１８】
請求項１０記載の発明の側溝の嵩上げ具は、側溝１の側壁１０の上部１１に設置して前記側壁１０を嵩上げする所定高さの嵩上げパイプ材２と、当該嵩上げパイプ材２を前記側壁１０に固定する固定部材５とから成る側溝１の嵩上げ具であって、
前記嵩上げパイプ材２は前記側溝１の側壁１０の幅寸と略同じ幅寸と高さで、水平方向に所定の長さを有する水平な角パイプ２０で形成されていると共に、前記固定部材５は、上方が接合片７０で下方が突出片７１の平板より成る垂直な側板７で形成され、当該側板７はその上方接合片７０が前記嵩上げパイプ材２の側面２ｂに接合され、下方突出片７１が下方に突き出た状態で複数設置されて成り、前記嵩上げパイプ材２が側壁１０の上部１１に設置された際、前記側板７の下方突出片７１が側壁１０の側面に沿って垂直方向に配置され、当該側板７が嵩上げパイプ材２と側壁１０の両者に懸架されて一体化自在に構成されていることを特徴とする。
【発明の効果】
【００１９】
請求項１、３、７、８、９記載の発明は、古くなったグランドと側溝を既設の現状のままで、蓋体を一時取り外し、所定高さ・長さの水平なパイプに引掛け孔やガイド部材が設けられた一対の嵩上げパイプ材を、側溝両側の側壁の上部に設置し、上部にフック部を形成した線材や釘、平板等より成る固定部材を、側溝の側壁の外側面に沿ってグランド中に埋め込んでいくと、支持力を得て当該固定部材は垂直方向に埋め込まれ、嵩上げパイプ材と側溝の側壁を懸架して確実に一体化固定でき、蓋体を戻して被覆するだけで元の側溝の嵩上げを現場で簡便に行える。
【００２０】
そして、前記嵩上げされた高さ分の新しい土やアスファルト等を、そのまま古いグランド上に敷設してグランドの改修が行え、その新しくなったグランドの上面レベルと、嵩上げされた側溝の上面レベルを難なく同一にそろえられ、残土処分が不要で、改修工事の容易化と施工コストの低減や工期の短縮、環境保全にも貢献する。さらに、側溝の傷みが激しく側溝を取り外して修理・交換ができない場合でも、既存の側溝や蓋体はそのまま利用して嵩上げを行える利便性に優れている。
【００２１】
請求項２、４記載の発明は、前記発明が側溝の側壁自体を嵩上げするのに対し、側溝の隣接する外側位置で嵩上げ状態をつくるものである。即ち、側溝の側壁に隣接する古いグランドにおける前記側壁寄り位置で、その側壁に沿って固定部材を支持しつつ嵩上げパイプ材が前記古いグランドレベルの端部位置で設置できるから、この嵩上げパイプ部材がグランドの堰板の機能を果たし、新しい土等を敷設しても側溝の方へ落下する虞れがない。もちろん、側溝には一切手を加えないで、前記嵩上げパイプ材の高さ分の新しい土等を敷設してグランドの改修が行え、改修工事の容易化と施工コストの低減や工期の短縮、環境保全に寄与する。
【００２２】
請求項５、６、１０記載の発明は、固定部材が上方接合片と下方突出片の平板より成る一対の側板で形成され、その一対の下方突出片内の中空部に嵩上げパイプ材を嵌合して一体化でき、前記と同様の効果を奏するほか、簡単に嵩上げ作業を行える施工上の利便性にも優れている。また、請求項６記載の発明のように当該固定具の下方突出片をボルト締めすれば、側溝の側壁との接合が確実でより一層強固な一体化が図られ、高品質化・安全性の向上にも貢献する。
【発明を実施するための最良の形態】
【００２３】
請求項１〜１０記載の本発明に係る側溝の嵩上げ方法と嵩上げ具の好適な実施形態を、以下図面にしたがって説明する。本実施形態は、断面形状がＵ字状のコンクリート製側溝１の底面部の両側から立ち上がった両側壁１０、１０の高さを嵩上げするものである。図１に示した砕石やモルタル等の基礎材９１の上に設置された既設の側溝１を、地上に持ち上げて交換又は修理する等の作業を一切行わない。なお、側溝１はＵ字状の断面形状に限るものではなく、また材質もコンクリート製に限定されるものではなく、各種の側溝１に対応できる。また、蓋体１２も、ゴムやグレーチング、コンクリート等の各種既存の蓋に適応できる。
【００２４】
この側溝の嵩上げ手段は、嵩上げパイプ材２の側溝１（側壁１０）への一体化固定手段の相違により、以下（Ａ）（Ｂ）（Ｃ）の３タイプに大別される。すなわち、
（Ａ）フック部６０を有する線材６Ａの固定部材５の係止により支持して固定するタイプ、
（Ｂ）釘６１等の線材６Ｂや平板６Ｃの固定部材５をガイド部材に挿し込むことにより支持して固定するタイプ、
（Ｃ）側板７（下方突出片７１）の固定部材５により嵌合させて固定するタイプ
である。
【００２５】
図１〜図９は、前記（Ａ）タイプの嵩上げ手段を示している。
【００２６】
この嵩上げ手段に好適な嵩上げ具の基本的構造は、側溝１の側壁１０の上部１１に設置して前記側壁１０を嵩上げする所定高さの嵩上げパイプ材２と、当該嵩上げパイプ材２を前記側壁１０に固定する固定部材５とで構成されている。即ち、前記嵩上げパイプ材２、２は、側溝１の両側の側壁１０、１０の上部１１、１１にそれぞれ設置される２本１組の一対で実施される。各嵩上げパイプ材２は水平に配置され、その全長が５００ｍｍ〜２０００ｍｍの角パイプ２０の鋼材で好適に実施される。また、この嵩上げパイプ材２の幅寸と高さは、それぞれ側溝１の側壁１０の上部１１の幅寸と略同じ（例えば５０〜１００ｍｍ）に形成されている。その材質も鋼材に限るものではなく、ゴム製やプラスチック製等で実施することも可能である（嵩上げパイプ材２の基本的構成につき以下同じ）。
【００２７】
そして、この（Ａ）タイプの嵩上げパイプ材２は、図６に示した如く、その上面２ａの中央部を除く左右対称位置に引掛け孔３が２箇所形成されている。一方、固定部材５は、図８と図９に示した如く、側溝１の側壁１０に沿って垂直方向に配置した際に、前記嵩上げパイプ材２と側壁１０の両者に十分跨って一体化できる長さとして、例えば側壁１０と略同じ長さ（約２００〜３００ｍｍ）を有する線材６Ａにて形成されている。そして、この線材６Ａの上部が、前記嵩上げパイプ材２の引掛け孔３に係止されるかぎ状のフック部６０に形成されている（図７参照）。なお、この固定部材５のフック部６０を嵩上げパイプ材２の引掛け孔３に予め溶接等により固定した形態で実施してもよい。
【００２８】
前記嵩上げ具を利用した側溝の嵩上げ方法（図１〜図４）を説明する。なお、図中、右方向がグランドｇの中央を示し、左方向がグランドｇの端を示している。
【００２９】
まず、図１のように、グランドｇと同グランドｇ脇の側溝１を既設の現状のままで動かさずに、前記側溝１に被覆された蓋体１２を開けて一時的に取り外しておく。
【００３０】
一対の前記嵩上げパイプ材２、２を、前記側溝１の両側の側壁１０、１０の上部１１、１１にそれぞれ設置する。つづいて、前記線材６Ａより成る固定部材５を、前記側溝１の側壁１０の外側面に沿ってグランドｇ中に挿し込む。そうすると、当該固定部材５（線材６Ａ）は、側壁１１とグランドｇ（土）との間に挿し込まれた杭のように支持力を得て、しっかりと垂直方向に埋め込まれ、最終的にフック部６０を嵩上げパイプ材２の引掛け孔３に係止する（図２）。かくして、嵩上げパイプ材２と側溝１の側壁１０との２部材間に固定部材５が架け渡された懸架状態により、両者の強固な一体化固定が実現される。前記嵩上げパイプ材２と固定部材５による側溝１の嵩上げ作業を、連続する側溝１・・・の必要な数に応じて行う（詳細図示は省略）。
【００３１】
そして、前記嵩上げパイプ材２の上に、最初に取り外しておいた蓋体１２を戻して被覆せば、連接する側溝１・・・自体の嵩上げが完了し、この蓋体１２の高さ分ぐらいが当初のグランドｇの上面レベルｓより高くなっている（図３）。よって、嵩上げパイプ材２の高さ分だけ嵩上げされた側溝１の蓋体１２の上面レベルｍまで、新たな土（又はアスファルト等）を敷設することが可能となっている。
【００３２】
したがって、嵩上げされた側溝１（蓋体１２）の上面レベルｍと、当該側溝１に隣接する表層の古い土ｇ−１の上にそのまま新たな土ｇ−３を敷設でき（図４）、その新たな土ｇ−３の上面レベルｋと前記側溝１の上面レベルｍを簡単に同じにそろえることができる。なお、図４における側溝１の左側のグランド端部の土ｇ’も、前記嵩上げ分だけ高さ調整するのが好ましい。
【００３３】
次に、図５に示した前記（Ａ）タイプの嵩上げ具の応用例を説明する。上記図示例が側溝１の側壁１０自体を嵩上げする形態であるのに対し、いわば側溝１の外側で嵩上げする形態である。なお、後述する（Ｂ）タイプの嵩上げ具も同様に実施可能である（図示は省略）。
【００３４】
グランドｇと側溝１の他に蓋体１２も既設の状態のままで、当該側溝１に近接して作業を行う。前記嵩上げパイプ材２を、前記側溝１の側壁１０と平行配置で且つ側壁１０に隣接するグランドｇ上における当該側壁１０寄りの上端部位置に設置する。そして、前記フック部６０を有する線材６Ａより成る固定部材５を、側溝１の側壁１０の外側面に沿うように当てがいつつグランドｇ中に支持力を得て垂直方向に埋め込み、前記フック部６０を前記嵩上げパイプ材２の引掛け孔３に係止して、側溝１の外側で嵩上げされた嵩上げパイプ材２を前記グランドｇより高いレベル位置で固定するものである。
【００３５】
かくして、側溝１の内方の側壁１０に隣接する古いグランドｇの表層ｇ−１における前記側壁１寄り位置で、当該嵩上げパイプ材２はグランドの堰板の機能を果たすので、新しい土ｇ−３をこの嵩上げパイプ材２の高さ分まで敷設できる。側溝１１の蓋体１２の上面レベルと新たな土ｇ−３の上面レベルｋとの一致は図れないが、嵩上げパイプ材２によって堰き止められた新たな土ｇ−３が当該嵩上げパイプ材２を乗り越えて側溝１内に落下する虞れがない。なお、図５中の符号９０は反対側の擁壁を示している。
【００３６】
次に図１０と図１１は、上記（Ｂ）タイプの嵩上げ手段を示している。
【００３７】
このタイプの嵩上げパイプ材２は、その外側面２ｂの中央部を除く左右対称位置に、同側面２ｂの高さと同じ高さの丸パイプより成るガイドパイプ２ｃ、２ｃが垂直方向に溶接で固定されている。一方、このタイプの固定部材５は、側溝１の側壁１０に沿って垂直方向に所定の長さ（側壁１０と略同じ長さ）を有する釘６１で形成された線材６Ｂにて形成されており、その線材６Ｂが前記嵩上げパイプ材２のガイドパイプ２ｃに上方から挿通される。
【００３８】
したがって、この（Ｂ）タイプの嵩上げ具の場合も前記（Ａ）タイプと同様に、側溝１はそのままで、蓋体１２を一時的に取り除き、臨む両側の側壁１０、１０の上部１１、１１に、それぞれ前記嵩上げパイプ材２を、前記ガイドパイプ２ｃが外向きとなる配置、つまりガイドパイプ２ｃが前記側溝１の両側の側壁１０、１０の外側面に対しそれぞれ垂直方向に位置する配置で載置する（図１１）。そして、図１２に示したように、固定部材５の線材６Ｂをガイドパイプ２ｃ内に上方からハンマー９２で打ち込む等して挿通し、側壁１０の外側に沿って土中に垂直方向に埋め込んでやるだけで、杭のように支持力が得られると共に、嵩上げパイプ材２は側壁１０の上でしっかりと一体化固定される。最後に、蓋体１２を元のように被覆してやれば側壁１０の嵩上げが完了する。
【００３９】
なお、この（Ｂ）タイプにおいて、前記ガイドパイプ２ｃを使用せずに、釘６１等の線材の上部を前記嵩上げパイプ材２の外側面２ｂに溶接等により固着する形態で実施することも可能である（図示は省略）。
【００４０】
図１３〜図１５は、前記（Ｂ）タイプの異なる嵩上げ手段を示している。
【００４１】
同図の嵩上げパイプ材２のガイド部材が、前記図１０のような丸パイプのガイドパイプ２ｃの代わりに、把手形状のガイド金具２ｄで形成されている。このガイド金具２ｄは、後述する平板６Ｃの固定部材５を挿し込めるように上下に貫通する挿し込み孔２１を有する厚さ約１〜２ｍｍ、幅寸約５０〜１００ｍｍ、高さ約２５〜４０ｍｍぐらいで、嵩上げパイプ部材２の外側面２ｂの左右両側に溶接で固着されている。
【００４２】
そして、前記固定部材５に使用される平板６Ｃは、前記釘６１等の線材に代わり、垂直配置の薄い平鋼（厚さ約１〜２ｍｍ、幅寸約５０〜１００ｍｍ、長さ約１００〜２００ｍｍ）の下端部をＶ字状に尖った尖鋭部６２に形成して実施される。
【００４３】
したがって、本実施形態の嵩上げ具の場合も前記線材６Ｂとガイドパイプ２ｃを利用した場合と同様に、ガイド金具２ｄの挿し込み孔２１の上方から平板６Ｃ（固定部材５）を挿通し、側壁１０の外側に沿ってグランド中に垂直方向に埋め込んでやれば、その尖鋭部６２がくさび（杭）のように下方に突き進み支持力を得て、嵩上げパイプ材２と側壁１０とが懸架状態で一体化固定される。特に、図１５のようなアスファルトが舗装されたいわゆる全天候型グランドｇにおいて、同グランドｇ−１’と側溝１（側壁１０）との間に固定具５を挿し込むことに困難を伴う場合に、この薄い平板６Ｃの固定具５を利用して容易に側溝の嵩上げを行うことができ、表層の古いアスファルト舗装ｇ−１’の上に新しいアスファルトｇ−３’を直に敷設できる。
【００４４】
図１６〜図１８は、上記（Ｃ）タイプの嵩上げ手段を示している。
【００４５】
この固定部材５は、上方が接合片７０で下方が突出片７１の平板より成る垂直な薄い平鋼の側板７で形成されている。この側板７が、前記嵩上げパイプ材２の外側面２ｂと内側面のそれぞれ中央部を除く左右対称位置に設置されている。つまり１本の嵩上げパイプ材２の左側の内外側面で一対（２枚）、右側の内外側面に一対（２枚）の合計４枚の側板７・・・で構成されている。但し、前記外側面２ｂか内側面の一方の側面だけに側板７を設置して実施することも可能である（図示は省略）。いずれにしても、この側板７の上半部分の上方接合片７０が前記嵩上げパイプ材２の側面２ｂに溶接で接合され、下半部分の下方突出片７１が下方に突き出た状態で複数設置されている。
【００４６】
したがって、本実施形態の嵩上げ具によれば、前記嵩上げパイプ材２に付設された一対の側板７、７の下方突出片７１、７１内の中空部を、前記側溝１の両側の側壁１０、１０の上部１１、１１にそれぞれ嵌合して設置すれば、当該側板７の下方突出片７１・・・が側壁１０の内外の側面に沿って垂直方向に配置され、嵩上げパイプ材２と側壁１０に懸架する一体化状態で側溝を簡単に嵩上げすることができる。
【００４７】
また、当該側板７、７の下方突出片７１にボルト孔７２を形成して実施すれば、当該下方突出片７１に嵌合された側溝１の側壁１０に対し、前記ボルト孔７２を利用してボルト８で締め付け、側壁１０に対し強固に接合して固定することができる。図１７に示したように側板７の外側の下方突出片７１にボルト孔７２を形成して実施するほか、図１８に示したように、側板７の内側の下方突出片７１にボルト孔７２を形成して実施すれば、側溝１の内部空間でボルト８を楽に締め付けることができる。
【００４８】
なお、この（Ｃ）タイプの固定部材５の応用例として、Ｈ型鋼を利用する形態で実施することもできる（図示は省略）。すなわち、断面形状（全体形状）がＨ型で、前記一対の側板７、７がフランジに相当する小型のＨ型鋼にて固定部材５を形成し、前記フランジ間の上部中空内に嵩上げパイプ材２を設置しておき、フランジ間の下部中空内を、側溝１の側壁１０の上部１１に嵌合して前記同様に側壁１０の嵩上げを行うのである。
【図面の簡単な説明】
【００４９】
【図１】側溝の蓋体を一時的に取り外した段階を示した断面図である。
【００５０】
【図２】図１の状態でタイプ（Ａ）の嵩上げパイプと固定具による嵩上げ要領を示した断面図である。
【００５１】
【図３】図２の状態で蓋体を戻して被覆した段階を示した断面図である。
【００５２】
【図４】図３の状態で新たな土を敷設したグランドを示した断面図である。
【００５３】
【図５】タイプ（Ａ）の嵩上げ具の異なる実施形態を示した断面図である。
【００５４】
【図６】タイプ（Ａ）の一対の嵩上げパイプを示した平面図である。
【００５５】
【図７】図６の嵩上げパイプに固定具を取り付けた状態を示した平面図である。
【００５６】
【図８】図７の正面図である。
【００５７】
【図９】タイプ（Ａ）の嵩上げ具を使用して嵩上げされた側溝を示した断面図である。
【００５８】
【図１０】Ａ、Ｂはタイプ（Ｂ）の一対の嵩上げパイプと固定具を示した平面図と正面図である。
【００５９】
【図１１】タイプ（Ｂ）の嵩上げ具を使用して嵩上げされた側溝を示した断面図である。
【００６０】
【図１２】タイプ（Ｂ）の嵩上げ具の設置要領を示した斜視図である。
【００６１】
【図１３】Ａ、Ｂは異なるタイプ（Ｂ）の一対の嵩上げパイプと固定具を示した平面図と正面図である。
【００６２】
【図１４】異なるタイプ（Ｂ）の固定具（平板）を示した正面図である。
【００６３】
【図１５】異なるタイプ（Ｂ）の嵩上げ具を使用して嵩上げされた側溝を示した断面図である。
【００６４】
【図１６】タイプ（Ｃ）の一対の嵩上げパイプと固定具を示した平面図と正面である。
【００６５】
【図１７】タイプ（Ｃ）の嵩上げ具を使用して嵩上げされた側溝を示した断面図である。
【００６６】
【図１８】タイプ（Ｃ）の異なる実施形態を示した断面図である。
【００６７】
【図１９】Ａ、Ｂ、Ｃは従来例を示した断面図である。
【符号の説明】
【００６８】
ｇ      グランド
１      側溝
１０    側壁
１１    上部
１２    蓋体
２      嵩上げパイプ材
２０    パイプ
２１    挿し込み孔
２ｃ    ガイドパイプ（ガイド部材）
２ｄ    ガイド金具（ガイド部材）
３      引掛け孔
５      固定部材
６０    フック部
６１    釘
６２    尖鋭部
６Ａ    線材
６Ｂ    線材
６Ｃ    平板
７      側板
７０    上方接合片
７１    下方突出片
７２    ボルト孔
８      ボルト
【図１】
2006083665.tif 000003
【図２】
2006083665.tif 000004
【図３】
2006083665.tif 000005
【図４】
2006083665.tif 000006
【図５】
2006083665.tif 000007
【図６】
2006083665.tif 000008
【図７】
2006083665.tif 000009
【図８】
2006083665.tif 000010
【図９】
2006083665.tif 000011
【図１０】
2006083665.tif 000012
【図１１】
2006083665.tif 000013
【図１２】
2006083665.tif 000014
【図１３】
2006083665.tif 000015
【図１４】
2006083665.tif 000016
【図１５】
2006083665.tif 000017
【図１６】
2006083665.tif 000018
【図１７】
2006083665.tif 000019
【図１８】
2006083665.tif 000020
【図１９】
2006083665.tif 000021